(57)【要約】【課題】  制限されている台数より多い携帯端末装置で画像形成装置が利用可能となるようにする。【解決手段】  携帯端末装置１は、所定のピアツーピア通信方式で画像形成装置２へジョブ要求の送信可能に画像形成装置２に登録されており、それ以外の携帯端末装置１ａは、画像形成装置２に登録されていない。画像形成装置２は、プラテングラス３２ａ上に載置された携帯端末装置１，１ａのデバイスＩＤを光学的にスキャンし、（ｂ）携帯端末装置１ａのデバイスＩＤを携帯端末装置１へ送信する。携帯端末装置１は、その携帯端末装置１ａのデバイスＩＤを、当該携帯端末装置１に関連付けてＡＰＩサーバー３に登録する。その後、ＡＰＩサーバー３は、ジョブ要求を携帯端末装置１ａから受信すると、対応する携帯端末装置１へ送信し、その携帯端末装置１は、そのジョブ要求を画像形成装置２へ送信する。【選択図】  図１
2018097545.tif 000002
【特許請求の範囲】
【請求項１】
画像形成装置と、
所定のピアツーピア通信方式で前記画像形成装置へジョブ要求の送信可能に前記画像形成装置に登録されている第１携帯端末装置と、
前記所定のピアツーピア通信方式で前記画像形成装置へジョブ要求の送信可能に前記画像形成装置に登録されていない少なくとも１台の第２携帯端末装置と、
サーバーとを備え、
前記画像形成装置は、（ａ）プラテングラス上に載置された前記第１携帯端末装置および前記第２携帯端末装置によりそれぞれ表示されている前記第１携帯端末装置のデバイスＩＤおよび前記第２携帯端末装置のデバイスＩＤを画像読取装置で光学的にスキャンして読み取り、（ｂ）前記第２携帯端末装置のデバイスＩＤを前記第１携帯端末装置へ前記ピアツーピア通信方式で送信し、
前記第１携帯端末装置は、（ａ）前記画像形成装置から前記第２携帯端末装置のデバイスＩＤを前記ピアツーピア通信方式で受信すると、受信した前記第２携帯端末装置のデバイスＩＤを、当該第１携帯端末装置に関連付けて前記サーバーに登録し、（ｂ）前記第２携帯端末装置により発行されたジョブ要求を、前記サーバーから受信すると、受信した前記ジョブ要求を、前記ピアツーピア通信方式で前記画像形成装置へ送信し、
前記サーバーは、前記第２携帯端末装置により発行された前記ジョブ要求を前記第２携帯端末装置から受信すると、その第２携帯端末装置のデバイスＩＤに関連付けられている前記第１携帯端末装置を特定し、受信した前記ジョブ要求を、特定した前記第１携帯端末装置へ送信すること、
を特徴とする画像形成システム。
【請求項２】
前記画像形成装置は、（ａ）１度のスキャンで読み取ったスキャン画像における前記第１携帯端末装置のデバイスＩＤおよび前記第２携帯端末装置のデバイスＩＤを特定し、（ｂ）特定した前記第１携帯端末装置のデバイスＩＤおよび前記第２携帯端末装置のデバイスＩＤのうち、前記ピアツーピア通信方式で前記画像形成装置へジョブ要求の送信可能に登録されている携帯端末装置のデバイスＩＤを検索し、前記第１携帯端末装置のデバイスＩＤを特定し、前記第１携帯端末装置のデバイスＩＤ以外のデバイスＩＤを前記第２携帯端末装置のデバイスＩＤと特定することを特徴とする請求項１記載の画像形成システム。
【請求項３】
前記第１携帯端末装置および前記第２携帯端末装置は、前記デバイスＩＤとして、前記デバイスＩＤを示す可視コードを含む特定画面を表示装置で表示し、
前記画像形成装置は、前記スキャン画像内で前記可視コードを検出し、前記可視コードをデコードして前記デバイスＩＤを特定すること、
を特徴とする請求項２記載の画像形成システム。
【請求項４】
前記サーバーは、前記第２携帯端末装置の登録後、所定時間、当該第２携帯端末装置からのジョブ要求が発生しなかった場合、当該第２携帯端末装置の登録を破棄することを特徴とする請求項１記載の画像形成システム。
【請求項５】
所定のピアツーピア通信方式でジョブ要求の受け付けが可能な画像形成装置において、
プラテングラス上に載置された第１携帯端末装置および少なくとも１台の第２携帯端末装置によりそれぞれ表示されている第１携帯端末装置のデバイスＩＤおよび第２携帯端末装置のデバイスＩＤを光学的にスキャンして読み取る画像読取装置と、
前記第２携帯端末装置のデバイスＩＤを前記第１携帯端末装置へ前記ピアツーピア通信方式で送信する無線通信装置とを備え、
前記第１携帯端末装置は、前記所定のピアツーピア通信方式で前記画像形成装置へジョブ要求の送信可能に当該画像形成装置に登録されており、
前記第２携帯端末装置は、前記所定のピアツーピア通信方式で前記画像形成装置へジョブ要求の送信可能に当該画像形成装置に登録されていないこと、
を特徴とする画像形成装置。
【請求項６】
所定のピアツーピア通信方式で画像形成装置へジョブ要求の送信可能に前記画像形成装置に登録されている第１携帯端末装置内のコンピューターに、
前記所定のピアツーピア通信方式で前記画像形成装置へジョブ要求の送信可能に前記画像形成装置に登録されていない第２携帯端末装置のデバイスＩＤを、前記画像形成装置から前記ピアツーピア通信方式で受信するステップと、
受信した前記第２携帯端末装置のデバイスＩＤを、当該第１携帯端末装置に関連付けて前記サーバーに登録するステップと、
前記第２携帯端末装置により発行されたジョブ要求を、前記サーバーから受信すると、受信した前記ジョブ要求を、前記ピアツーピア通信方式で前記画像形成装置へ送信するステップと、
を実行させることを特徴とするコンピューター読取可能なプログラム。
【発明の詳細な説明】
【技術分野】
【０００１】
本発明は、画像形成システム、画像形成装置、およびプログラムに関するものである。
【背景技術】
【０００２】
ある画像形成装置は、携帯端末装置から操作可能となっている（例えば特許文献１参照）。
【０００３】
また、近年、Ｗｉ−Ｆｉ  Ｄｉｒｅｃｔ（登録商標）、ブルートゥース（登録商標）などのピアツーピア通信が、複合機などの画像形成装置と、スマートフォンなどの携帯端末装置との間で可能となっている。
【先行技術文献】
【特許文献】
【０００４】
【特許文献１】特開２０１４−２３２３９０号公報
【発明の概要】
【発明が解決しようとする課題】
【０００５】
しかしながら、画像形成装置にピアツーピア通信でアクセス可能な携帯端末装置の台数が所定台数以下に制限されることがあり、オフィスなどで多数のユーザーが携帯端末装置で画像形成装置を利用した場合でも、利用権限がある携帯端末装置は画像形成装置を利用することはできるが、利用権限がない携帯端末装置は画像形成装置を利用することはできない。
【０００６】
本発明は、上記の問題に鑑みてなされたものであり、制限されている台数より多い携帯端末装置が画像形成装置を利用可能とする画像形成システム、画像形成装置、およびプログラムを得ることを目的とする。
【課題を解決するための手段】
【０００７】
本発明に係る画像形成システムは、画像形成装置と、所定のピアツーピア通信方式で前記画像形成装置へジョブ要求の送信可能に前記画像形成装置に登録されている第１携帯端末装置と、前記所定のピアツーピア通信方式で前記画像形成装置へジョブ要求の送信可能に前記画像形成装置に登録されていない少なくとも１台の第２携帯端末装置と、サーバーとを備える。前記画像形成装置は、（ａ）プラテングラス上に載置された前記第１携帯端末装置および前記第２携帯端末装置によりそれぞれ表示されている前記第１携帯端末装置のデバイスＩＤおよび前記第２携帯端末装置のデバイスＩＤを画像読取装置で光学的にスキャンして読み取り、（ｂ）前記第２携帯端末装置のデバイスＩＤを前記第１携帯端末装置へ前記ピアツーピア通信方式で送信する。前記第１携帯端末装置は、（ａ）前記画像形成装置から前記第２携帯端末装置のデバイスＩＤを前記ピアツーピア通信方式で受信すると、受信した前記第２携帯端末装置のデバイスＩＤを、当該第１携帯端末装置に関連付けて前記サーバーに登録し、（ｂ）前記第２携帯端末装置により発行されたジョブ要求を、前記サーバーから受信すると、受信した前記ジョブ要求を、前記ピアツーピア通信方式で前記画像形成装置へ送信する。前記サーバーは、前記第２携帯端末装置により発行された前記ジョブ要求を前記第２携帯端末装置から受信すると、その第２携帯端末装置のデバイスＩＤに関連付けられている前記第１携帯端末装置を特定し、受信した前記ジョブ要求を、特定した前記第１携帯端末装置へ送信する。
【０００８】
本発明に係る画像形成装置は、所定のピアツーピア通信方式でジョブ要求の受け付けが可能な画像形成装置であって、プラテングラス上に載置された第１携帯端末装置および少なくとも１台の第２携帯端末装置によりそれぞれ表示されている第１携帯端末装置のデバイスＩＤおよび第２携帯端末装置のデバイスＩＤを光学的にスキャンして読み取る画像読取装置と、前記第２携帯端末装置のデバイスＩＤを前記第１携帯端末装置へ前記ピアツーピア通信方式で送信する無線通信装置とを備える。ここで、前記第１携帯端末装置は、前記所定のピアツーピア通信方式で当該画像形成装置へジョブ要求の送信可能に前記画像形成装置に登録されており、前記第２携帯端末装置は、前記所定のピアツーピア通信方式で当該画像形成装置へジョブ要求の送信可能に前記画像形成装置に登録されていない。
【０００９】
本発明に係るプログラムは、所定のピアツーピア通信方式で画像形成装置へジョブ要求の送信可能に前記画像形成装置に登録されている第１携帯端末装置内のコンピューターに、前記所定のピアツーピア通信方式で前記画像形成装置へジョブ要求の送信可能に前記画像形成装置に登録されていない第２携帯端末装置のデバイスＩＤを、前記画像形成装置から前記ピアツーピア通信方式で受信するステップと、受信した前記第２携帯端末装置のデバイスＩＤを、当該第１携帯端末装置に関連付けて前記サーバーに登録するステップと、前記第２携帯端末装置により発行されたジョブ要求を、前記サーバーから受信すると、受信した前記ジョブ要求を、前記ピアツーピア通信方式で前記画像形成装置へ送信するステップとを実行させる。
【発明の効果】
【００１０】
本発明によれば、制限されている台数より多い携帯端末装置が画像形成装置を利用可能となる。
【００１１】
本発明の上記又は他の目的、特徴および優位性は、添付の図面とともに以下の詳細な説明から更に明らかになる。
【図面の簡単な説明】
【００１２】
【図１】図１は、本発明の実施の形態に係る画像形成システムの構成を示す図である。
【図２】図２は、図１における携帯端末装置１、画像形成装置２、およびサーバー３の構成を示すブロック図である。
【図３】図３は、図１における画像読取装置３２に載置された複数の携帯端末装置１，１ａの一例を示す斜視図である。
【図４】図４は、図１および図２に示す画像形成システムの動作を説明するシーケンス図である。
【発明を実施するための形態】
【００１３】
以下、図に基づいて本発明の実施の形態を説明する。
【００１４】
図１は、本発明の実施の形態に係る画像形成システムの構成を示す図である。図１に示すシステムでは、複数のユーザーが、スマートフォンなどの携帯端末装置１または携帯端末装置１ａをそれぞれ携帯しており、さらに、画像形成装置２（複合機、コピー機、ファクシミリ機など）が、それらのユーザーの拠点（オフィスなど）に配置されている。また、携帯端末装置１，１ａから携帯電話網データおよびインターネットを介してアクセス可能なＡＰＩ（Application Programming Interface）サーバー３が設けられている。
【００１５】
図１に示すシステムでは、画像形成装置２は、Ｗｉ−Ｆｉ  Ｄｉｒｅｃｔ（登録商標）、ブルートゥース（登録商標）などの所定のピアツーピア通信方式で、所定の台数以下の携帯端末装置からのジョブ要求（印刷要求など）を受け付けることができる。つまり、画像形成装置２は、予め登録されている所定の台数以下の携帯端末装置からのジョブ要求をそのピアツーピア通信で受け付けることができる。
【００１６】
ここでは、携帯端末装置１は、その所定のピアツーピア通信方式で画像形成装置２へジョブ要求の送信可能に画像形成装置２に登録されており、携帯端末装置１ａは、その所定のピアツーピア通信方式で画像形成装置２へジョブ要求の送信可能に画像形成装置２に登録されていないものとする。
【００１７】
図２は、図１における携帯端末装置１、画像形成装置２、およびＡＰＩサーバー３の構成を示すブロック図である。なお、携帯端末装置１ａの構成は、携帯端末装置１と同様である。
【００１８】
携帯端末装置１は、例えばスマートフォンなどのポータブルデバイスであって、無線通信装置１１、携帯電話網通信装置１２、表示装置１３、入力装置１４、記憶装置１５、演算処理装置１６などを備える。
【００１９】
無線通信装置１１は、無線ＬＡＮ（Local Area Network）、ブルートゥース（登録商標）などの所定の無線通信規格でデータ通信を行う内部装置である。上述のピアツーピア通信方式の無線通信は、無線通信装置１１により行われる。
【００２０】
携帯電話網通信装置１２は、携帯電話網に接続可能な無線通信装置であって、データ通信および音声通信を行う。
【００２１】
表示装置１３は、ユーザーに対して操作画面などを表示する液晶ディスプレイなどといった内部装置である。入力装置１４は、ユーザー操作を検出するタッチパネルなどといった内部装置である。
【００２２】
記憶装置１５は、フラッシュメモリー、ハードディスクなどの不揮発性の記憶装置である。記憶装置１５には、プログラム２１などが記憶されている。
【００２３】
演算処理装置１６は、ＣＰＵ（Central Processing Unit）、ＲＡＭ（Random Access Memory）、ＲＯＭ（Read Only Memory）などを有するコンピューターであり、プログラム２１をＲＡＭにロードしＣＰＵで実行することで、ドライバー２２を実現する。
【００２４】
携帯端末装置１のドライバー２２は、無線通信装置１１を使用して、上述のピアツーピア通信方式で画像形成装置２へジョブ要求を送信する。
【００２５】
また、携帯端末装置１のドライバー２２は、画像形成装置２から携帯端末装置１ａのデバイスＩＤを上述のピアツーピア通信方式で受信すると、受信した携帯端末装置１ａのデバイスＩＤを、当該携帯端末装置１に関連付けてＡＰＩサーバー３へ送信してＡＰＩサーバー３に登録する。
【００２６】
さらに、携帯端末装置１のドライバー２２は、ＡＰＩサーバー３へ当該携帯端末装置１に関連付けて登録された携帯端末装置１ａにより発行されたジョブ要求を、ＡＰＩサーバー３から受信すると、受信したジョブ要求を、上述のピアツーピア通信方式で画像形成装置２へ送信する。
【００２７】
なお、携帯端末装置１ａのドライバー２２は、上述のピアツーピア通信方式で画像形成装置２へジョブ要求を送信せずに、ＡＰＩサーバー３へジョブ要求を送信する。
【００２８】
一方、図２において、画像形成装置２は、登録された複数のユーザーにより使用される複合機などであって、印刷装置３１、画像読取装置３２、操作パネル３３、無線通信装置３４、有線通信装置３５、およびコントローラー３６を備える。
【００２９】
印刷装置３１は、印刷画像データに基づいて１ページずつ画像を印刷用紙に電子写真方式で印刷する内部装置である。
【００３０】
画像読取装置３２は、プラテングラス上の物体の画像を光学的にスキャンして読み取り、その画像データを生成する内部装置である。
【００３１】
操作パネル３３は、画像形成装置２の筐体表面に配置され、ユーザーに対して各種情報を表示する表示装置と、ユーザー操作を受け付ける入力装置とを有する。表示装置としては例えば液晶ディスプレイが使用される。入力装置としては、キースイッチ、タッチパネルなどが使用される。
【００３２】
無線通信装置３４は、無線ＬＡＮ、ブルートゥース（登録商標）などの所定の無線通信規格でデータ通信を行う内部装置である。上述のピアツーピア通信方式の無線通信は、無線通信装置３４により行われる。
【００３３】
有線通信装置３５は、有線ＬＡＮなどのネットワークに接続され、そのネットワークに接続された他の装置とデータ通信を行う回路である。
【００３４】
また、コントローラー３６は、コンピューター、ＡＳＩＣ（Application Specific Integrated Circuit）などを有し、画像形成装置２内の内部装置を制御するとともに各種データ処理を実行する。コントローラー３６は、デバイス登録部４２、およびジョブ管理部４３として動作する。
【００３５】
デバイス登録部４２は、無線通信装置３４を使用した所定のピアツーピア通信方式でジョブ要求を送信可能な携帯端末装置を登録する。つまり、デバイス登録部４２により既に登録されている携帯端末装置（上述の携帯端末装置１）からのピアツーピア通信方式でのジョブ要求は、許可され、登録されていない携帯端末装置（上述の携帯端末装置１ａ）からのピアツーピア通信方式でのジョブ要求は、拒否される。
【００３６】
図３は、図１における画像読取装置３２に載置された複数の携帯端末装置１，１ａの一例を示す斜視図である。
【００３７】
デバイス登録部４２は、（ａ）図３に示すように画像読取装置３２のプラテングラス３２ａ上に載置された携帯端末装置１および携帯端末装置１ａによりそれぞれ表示されている携帯端末装置１のデバイスＩＤおよび携帯端末装置１ａのデバイスＩＤを画像読取装置３２で光学的にスキャンして読み取り、（ｂ）無線通信装置３４を使用して、その携帯端末装置１ａのデバイスＩＤをその携帯端末装置１へ上述のピアツーピア通信方式で送信する。
【００３８】
つまり、携帯端末装置１および携帯端末装置１ａのドライバー２２は、それぞれ、入力装置１４に対するユーザー操作に従って、自己のデバイスＩＤを含む特定画面を表示装置１３に表示する。ユーザーは、その状態で、表示面を下向きにして、携帯端末装置１および携帯端末装置１ａをプラテングラス３２ａに載置する。これにより、画像読取装置３２により得られるスキャン画像内にデバイスＩＤの画像が含まれる。
【００３９】
また、デバイス登録部４２は、（ａ）１度のスキャンで読み取ったスキャン画像における携帯端末装置１のデバイスＩＤおよび携帯端末装置１ａのデバイスＩＤを特定し、（ｂ）特定した携帯端末装置１のデバイスＩＤおよび携帯端末装置１ａのデバイスＩＤのうち、画像形成装置２に登録されている携帯端末装置１のデバイスＩＤを検索し、携帯端末装置１のデバイスＩＤを特定し、携帯端末装置１のデバイスＩＤ以外のデバイスＩＤを携帯端末装置１ａのデバイスＩＤと特定する。
【００４０】
さらに、携帯端末装置１および携帯端末装置１ａのドライバー２２が、デバイスＩＤとして、デバイスＩＤを示す可視コード（デバイスＩＤをエンコードしたＱＲコード（登録商標）などの可視コード）を含む特定画面を表示装置１３で表示し、画像形成装置２は、スキャン画像内で可視コードを検出し、可視コードをデコードしてデバイスＩＤを特定するようにしてもよい。
【００４１】
ジョブ管理部４３は、無線通信装置３４または有線通信装置３５を使用して、ジョブ要求を受信し、印刷装置３１、画像読取装置３２などの内部装置を使用して、受信したジョブ要求により指示されたジョブ（印刷ジョブなど）を実行する。
【００４２】
他方、ＡＰＩサーバー３は、通信部５１、従属デバイス登録部５２、およびジョブ転送部５３を備える。
【００４３】
通信部５１は、インターネットに接続され、インターネットおよび携帯電話通信網を介して、携帯端末装置１，１ａとの間でデータ通信を行う。
【００４４】
従属デバイス登録部５２は、画像形成装置２に登録されている携帯端末装置１からの要求に応じて、画像形成装置２に登録されている携帯端末装置１（のデバイスＩＤ）に対して、画像形成装置２に登録されていない携帯端末装置１ａ（のデバイスＩＤ）を関連付けて管理する。
【００４５】
ジョブ要求転送部５３は、画像形成装置２に登録されていない携帯端末装置１ａからのジョブ要求を、その携帯端末装置１ａに関連付けられている携帯端末装置１へ転送する。例えば、ＡＰＩサーバー３は、ＧＣＭ、ＡＰＮＳなどのプッシュ通知を実行するサーバーであって、プッシュ通知でジョブ要求を携帯端末装置１へ送信する。
【００４６】
次に、上記画像形成システムの動作について説明する。図４は、図１および図２に示す画像形成システムの動作を説明するシーケンス図である。
【００４７】
まず、画像形成装置２は、ユーザー操作などに基づいて、ユーザーの携帯端末装置（つまり、携帯端末装置１）の登録を行う（ステップＳ１）。この後、携帯端末装置１は、画像形成装置２に対して所定のピアツーピア通信方式でジョブ要求を送信可能となる（ステップＳ２）。
【００４８】
その後、携帯端末装置１ａのユーザーが、登録台数の制限などに起因して、画像形成装置２に登録されていない携帯端末装置１ａを画像形成装置２に登録できないが、その携帯端末装置１ａで画像形成装置２を利用したい場合、携帯端末装置１または携帯端末装置１ａのユーザーが、登録済みの携帯端末装置１および未登録の携帯端末装置１ａに、デバイスＩＤを表示させた状態で、登録済みの携帯端末装置１および未登録の携帯端末装置１ａをプラテングラス３２ａ上に配置する。
【００４９】
そして、画像形成装置２は、ユーザー操作に従って、プラテングラス３２ａ上に配置された携帯端末装置１および携帯端末装置１ａの画像をスキャンし（ステップＳ３）、上述のようにして、携帯端末装置１のデバイスＩＤおよび携帯端末装置１ａのデバイスＩＤを特定し（ステップＳ４）、携帯端末装置１ａのデバイスＩＤを携帯端末装置１へピアツーピア通信で送信する（ステップＳ５）。
【００５０】
携帯端末装置１は、携帯端末装置１ａのデバイスＩＤをピアツーピア通信で受信すると、自己のデバイスＩＤとともにＡＰＩサーバー３へ送信する（ステップＳ６）。
【００５１】
ＡＰＩサーバー３は、携帯端末装置１のデバイスＩＤおよび携帯端末装置１ａのデバイスＩＤを受信すると、携帯端末装置１のデバイスＩＤに関連付けて携帯端末装置１ａのデバイスＩＤを登録する（ステップＳ７）。
【００５２】
このように携帯端末装置１ａのデバイスＩＤがＡＰＩサーバー３に登録された後、携帯端末装置１ａは、ＡＰＩサーバー３および携帯端末装置１を介して、画像形成装置２を利用可能となる（ステップＳ８〜Ｓ１０）。つまり、携帯端末装置１ａが、ＡＰＩサーバー３へジョブ要求を送信すると（ステップＳ８）、ＡＰＩサーバー３はそのジョブ要求を携帯端末装置１へ転送し（ステップＳ９）、携帯端末装置１は、ピアツーピア通信でそのジョブ要求を画像形成装置２へ送信する（ステップＳ１０）。これにより、携帯端末装置１ａにより発行されたジョブ要求に従って、画像形成装置２は、ジョブを実行する。
【００５３】
以上のように、上記実施の形態によれば、携帯端末装置１は、所定のピアツーピア通信方式で画像形成装置２へジョブ要求の送信可能に画像形成装置２に登録されており、携帯端末装置１ａは、所定のピアツーピア通信方式で画像形成装置２へジョブ要求の送信可能に画像形成装置２に登録されていない。画像形成装置２は、（ａ）プラテングラス３２ａ上に載置された携帯端末装置１および携帯端末装置１ａによりそれぞれ表示されている携帯端末装置１のデバイスＩＤおよび携帯端末装置１ａのデバイスＩＤを画像読取装置３２で光学的にスキャンして読み取り、（ｂ）携帯端末装置１ａのデバイスＩＤを携帯端末装置１へそのピアツーピア通信方式で送信する。携帯端末装置１は、（ａ）画像形成装置２から携帯端末装置１ａのデバイスＩＤをそのピアツーピア通信方式で受信すると、受信した携帯端末装置１ａのデバイスＩＤを、当該携帯端末装置１に関連付けてＡＰＩサーバー３に登録し、（ｂ）携帯端末装置１ａにより発行されたジョブ要求を、ＡＰＩサーバー３から受信すると、受信したジョブ要求を、そのピアツーピア通信方式で画像形成装置２へ送信する。ＡＰＩサーバー３は、携帯端末装置１ａにより発行されたジョブ要求を携帯端末装置１ａから受信すると、その携帯端末装置１ａのデバイスＩＤに関連付けられている携帯端末装置１を特定し、受信したジョブ要求を、特定した携帯端末装置１へ送信する。
【００５４】
これにより、制限されている台数より多い携帯端末装置１，１ａで画像形成装置２を利用可能となる。
【００５５】
また、簡単な操作で、画像形成装置２に登録されていない１または複数の携帯端末装置１ａが携帯端末装置１を介して画像形成装置２を利用可能とすることができる。特に、画像形成装置２に登録されていない携帯端末装置１ａを一時的に利用可能とする場合には便利である。
【００５６】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００５７】
例えば、上記実施の形態において、所定時間、携帯端末装置１ａからのジョブ要求が発生しなかった場合、ＡＰＩサーバー３は、携帯端末装置１ａの登録を破棄するようにしてもよい。これにより、携帯端末装置１ａによる画像形成装置２の利用が終了した場合に自動的に携帯端末装置１ａの登録が破棄され、その後、携帯端末装置１ａによる画像形成装置２の利用ができなくなるため、セキュリティが高くなる。
【産業上の利用可能性】
【００５８】
本発明は、例えば、オフィスなどに設置される画像形成装置に適用可能である。
【符号の説明】
【００５９】
１  携帯端末装置（第１携帯端末装置の一例）
１ａ  携帯端末装置（第２携帯端末装置の一例）
２  携帯端末装置
３  ＡＰＩサーバー（サーバーの一例）
１４  表示装置
１６  演算処理装置（コンピューターの一例）
２１  プログラム
３２  画像読取装置
３２ａ  プラテングラス
【図１】
2018097545.tif 000003
【図２】
2018097545.tif 000004
【図３】
2018097545.tif 000005
【図４】
2018097545.tif 000006